(57)【要約】  本開示は、外面の後方に収容される照明器具において、光を照射する前面とその裏面である後面とを具備する照明部と、照明部と電気的に連結して、外面の後方で電源と結合する電源接続部及び照明部と電源接続部との間に具備され、照明部の後面を外面に当接させる長さ調節可能なシャフト部と、を含むことを特徴とする照明器具に関するものである。
2013508933.tif 000002
【特許請求の範囲】
【請求項１】
外面の後方に収容される照明器具において、光を照射する前面とその裏面である後面とを具備する照明部と、
前記照明部と電気的に連結されて、前記外面の後方で電源と結合する電源接続部、及び、照明部と前記電源接続部との間に具備され、照明部の後面を外面に当接させる長さ調節可能なシャフト部と、を含むことを特徴とする照明器具。
【請求項２】
長さ調節可能なシャフト部が、後面に結合される下部シャフト部と前記電源接続部に結合される上部シャフト部とを含み、
前記下部シャフト部がスプリングによって前記上部シャフト部側に加圧されて移動することを特徴とする、請求項１に記載の照明器具。
【請求項３】
前記上部シャフト部に対する前記下部シャフト部の相対的移動が、突起と突起ガイドホームとによって案内されることを特徴とする、請求項２に記載の照明器具。
【請求項４】
前記上部シャフト部に対する前記下部シャフト部の相対的移動を防止するストッパーを含むことを特徴とする、請求項２に記載の照明器具。
【請求項５】
前記ストッパーが、前記上部シャフト部に対する前記下部シャフト部の相対的回転によって前記相対的移動を防止することを特徴とする、請求項４に記載の照明器具。
【請求項６】
前記電源接続部が電源に回転結合されるソケットベースであり、前記相対的回転の方向とソケットベースの回転方向とが、反対方向であることを特徴とする、請求項５に記載の照明器具。
【請求項７】
前記突起ガイドホームと連通して、前記上部シャフト部に対する前記下部シャフト部の相対的回転時に突起を収容する突起収容部を含むことを特徴とする、請求項３に記載の照明器具。
【請求項８】
前記突起ガイドホームと前記突起収容部との間に突起係止突起を含むことを特徴とする、請求項７に記載の照明器具。
【請求項９】
前記電源接続部が電源に回転結合されるソケットベースであり、
前記相対的回転の方向と前記ソケットベースの回転方向とが、反対方向であることを特徴とする、請求項８に記載の照明器具。
【請求項１０】
照明部がＬＥＤ照明部であることを特徴とする、請求項９に記載の照明器具。
【発明の詳細な説明】
【技術分野】
【０００１】
本開示は、全体的に照明器具に関するもので、特に天井及び壁面のような外面に埋め込んで使用される埋め込み型照明器具に関するものである。
【背景技術】
【０００２】
本明細書では、本開示に関する背景技術を説明するが、これらが必ずしも公知技術を意味するものではない。
【０００３】
図１は、照明器具の設置状態を示した図で、照明器具１０は、天井２０または壁面に埋め込む形態で装着される。このような照明器具１０は、天井２０または壁面のような外面に埋め込まれることによって、照明器具１０の露出がほとんどないため天井面または壁面の外観がよく見える長所がある。
【発明の概要】
【発明が解決しようとする課題】
【０００４】
一方、天井２０の上部には、照明器具１０が設置される空間である埋め込み部３０があらかじめ準備されるが、電源４０を具備した埋め込み部３０の大きさは、照明器具１０の大きさに対応するように設計される。すなわち、特定の大きさの照明器具１０に合うように埋め込み部３０が設計される。それによって、埋め込み部３０の大きさと照明器具の大きさとが互いに合わなければ照明器具１０を設置することができず、これは既存の多様な大きさに設計された埋め込み部を効果的に利用することができないことを意味する。
【０００５】
本発明の目的は、上記課題を解決できる照明器具を提供することである。
【課題を解決するための手段】
【０００６】
本明細書では、本開示の全体的な要約を説明するが、これが本開示の内容を制限するものと理解されてはならない。
【０００７】
本開示の一態樣によると、外面の後方に収容される照明器具において、光を照射する前面とその裏面である後面とを具備する照明部と、前記照明部と電気的に連結されて外面の後方で電源と結合される電源接続部、及び照明部と電源接続部との間に具備されて照明部の後面を外面に当接させるための長さ調節可能なシャフト部と、を含むことを特徴とする照明器具を提供する。
【発明の効果】
【０００８】
天井の埋め込み部の長さが上部シャフト部及び下部シャフト部の延長された長さの範囲内に含まれれば、埋め込み部の長さに関係なく照明器具を装着することができる。
【図面の簡単な説明】
【０００９】
【図１】図１は、照明器具の設置状態を示す図である。
【図２】図２は、本開示の一実施例による照明器具の分解斜視図である。
【図３】図３は、本開示の一実施例による照明器具の斜視断面図である。
【図４】図４は、本開示の一実施例による照明器具の斜視断面図である。
【図５】図５は、上部シャフト部と下部シャフト部の分解斜視図である。
【図６】図６は、本開示の一実施例による照明器具の動作を説明するための断面図である。
【図７】図７は、本開示の一実施例による照明器具の動作を説明するための断面図である。
【図８】図８は、図６のＡ−Ａ’線による断面図である。
【図９】図９は、図７のＢ−Ｂ’線による断面図である。
【図１０】図１０は、本開示の一実施例による照明器具が埋め込み部に装着される過程を示した参考図である。
【図１１】図１１は、本開示の一実施例による照明器具が埋め込み部に装着される過程を示した参考図である。
【発明を実施するための形態】
【００１０】
以下、本開示を添付図面を参照しながら詳しく説明する。
【００１１】
図２、図３及び図４に示したように、本開示の一実施例による照明器具は、上部シャフト部１１０及び下部シャフト部１２０を具備する。上部シャフト部１１０及び下部シャフト部１２０は、円筒形状からなり、上部シャフト部１１０の内部には下部シャフト部１２０が結合されて上下移動可能な空間を具備する。ここで、上部シャフト部１１０の内径と下部シャフト部１２０の外径とは一致し、それによって、下部シャフト部１２０は上部シャフト部１１０の内壁に密着する形態で移動する。
【００１２】
上部シャフト部１１０の上端には上部カバー１１１が具備され、上部カバー１１１の一方の側には円筒形状の上部ガイド部材１１２が具備される。上部ガイド部材１１２は、後述する下部シャフト部１２０の下部ガイド部材１２１の上下移動をガイドするとともに電線などの器具を収納する空間をもたらす役割をする。ここで、上部カバー１１１及び上部ガイド部材１１２は、一体成形することが可能である。
【００１３】
下部シャフト部１２０の内部には、下部シャフト部１２０と同心円を成す円筒形状の下部ガイド部材１２１が具備され、上部シャフト部１１０内での下部シャフト部１２０の上下移動時、下部ガイド部材１２１は上部ガイド部材１１２に沿って上下移動する。
【００１４】
下部シャフト部１２０の内壁と下部ガイド部材１２１との間には一定空間が具備され、下部ガイド部材１２１の周囲に沿って引張スプリング１３０が具備され、引張スプリング１３０の両端はそれぞれ上部カバー１１１、下部シャフト部１２０の支柱１２２に連結、固定される。これによって、上部シャフト部１１０及び下部シャフト部１２０は引張スプリング１３０を介して結合され、引張スプリング１３０の引張力により、下部シャフト部１２０の上下移動が可能になる。ここで、上部カバー１１１及び下部シャフト部１２０の支柱１２２の一方の側には、スプリング固定ピン１１４、１２４が具備され、引張スプリング１３０の両端に具備された掛けがね１３１がスプリング固定ピン１１４、１２４にかかる形態で引張スプリング１３０を固定することができる。ここで、上部カバー１１１及び下部シャフト部１２０の支柱１２２の一方の側には、スプリング固定ピン１１４、１２４が具備される固定ピン安着部１１３、１２３を具備することができる。本実施例では、上部シャフト部１１０及び下部シャフト部１２０が引張スプリング１３０を用いて長さ調節可能なシャフトを構成するが、ネジ結合される二つのシャフト部を用いて長さ調節可能なシャフトを構成するなど多様な方法によって前記シャフト部を構成することができる。
【００１５】
一方、下部シャフト部１２０の一方の側には、図５に示したように突起１０１を具備しており、上部シャフト部１１０の内壁には下部シャフト部１２０の突起１０１を収容することができる突起収容部１０２を具備する。また、突起１０１は、下部シャフト部１２０の上端部に具備され、突起収容部１０２は上部シャフト部１１０の下端部に具備することが好ましい。これによる突起１０１が突起収容部１０２に結合される状態を詳しくみると、上部シャフト部１１０及び下部シャフト部１２０の総延長の長さが最大値に近い地点であることが分かる。ここで、突起１０１は２個具備することができ、第１突起を０度位置に具備すると、第２突起は１８０度の位置に具備することができる。また、第１突起及び第２突起に対応する第１突起収容部及び第２突起収容部を上部シャフトの内壁に具備することができる。
【００１６】
また、上部シャフト部１１０の内壁には、下部シャフト部１２０の上下移動時の突起１０１の移動空間をもたらす突起ガイドホーム１０３が、上部シャフト部１１０の軸方向に沿って具備される。突起ガイドホーム１０３及び突起収容部１０２は空間的に互いに連結され、突起ガイドホーム１０３内の空間が垂直に延在し、突起ガイドホーム１０３と突起収容部１０２の空間とは水平に連結される。これによって、突起ガイドホーム１０３内で垂直移動する突起１０１を突起収容部１０２が具備された位置に対応する位置から水平移動させて突起収容部１０２に収容することができる。突起１０１の水平移動は、下部シャフト部１２０の回転によって可能である。本実施例では、上部シャフト部１１０に突起ガイドホーム１０３を形成して、下部シャフト部１２０に突起１０１を形成したが、これと反対に形成することができることはもちろんである。
【００１７】
突起ガイドホーム１０３と突起収容部１０２との間には、突起係止突起１０４が具備される。突起係止突起１０４を具備する理由は、突起収容部１０２での突起１０１の収容状態または突起ガイドホーム１０３内での突起１０１の移動状態を独立的に確保するためであり、突起収容部１０２に突起１０１が収容された状態で一定の強制的な外力を加えて、突起１０１を突起係止突起１０４を越えて突起ガイドホーム１０３に移動させることができ、その反対の過程、すなわち、突起ガイドホーム１０３から突起収容部１０２への突起１０１の移動も可能である。ここで、突起収容部１０２から突起ガイドホーム１０３への回転方向は、後述するソケットベース１６０のソケットへの締結方向と同一に設計することが好ましい。ストッパーとして突起１０１及び突起収容部１０２を用いたが、上部シャフト部１１０及び下部シャフト部１２０にホールを形成して、そのホールにピンを挿入する形態でストッパーを構成するなど、多様な方法でストッパーを構成することができる。
【００１８】
一方、上部シャフト部１１０の下端には下部カバー１１５が具備され、下部カバー１１５は下部シャフト部１２０が上部シャフト部１１０から離脱することを防止する役割をする。前述のように、上部シャフト部１１０の軸方向に突起ガイドホーム１０３が具備されていて、突起ガイドホーム１０３内の空間に突起１０１が位置した状態で下部シャフト部１２０が上下移動するが、下部カバー１１５が突起１０１の移動を妨害して下部シャフト部１２０の離脱を防止する役割をする。ここで、上部シャフト部１１０、下部シャフト部１２０、下部カバー１１５の組み立て及び分解を考慮して、突起ガイドホーム１０３に対応する位置ではない他の位置に、突起１０１に対応する形状を有する開口部を下部カバー１１５に具備させることができる。
【００１９】
一方、下部シャフト部１２０の支柱１２２の下部には、照明部１４０が具備され、照明部１４０には、ＬＥＤ照明部、白熱灯、蛍光灯等を使用できる。また、上部カバー１１１の上部にはハウジング１５０が具備され、ＬＥＤ照明部を使用する場合、ハウジング１５０内にはＬＥＤ照明部の動作を制御するＬＥＤ駆動制御モジュール（未図示）を具備することができる。それと共に、ハウジング１５０の一端にはソケット（未図示）に装着されるソケットベース１６０が具備される。ＬＥＤ照明を用いる場合に、照明部１４０の厚さを薄くできるので、本開示による埋め込み型照明器具を形成する際において特に相応しいといえる。
【００２０】
以上、本開示の一実施例による照明器具の構成に対して説明したが、以下では上述した構成を有する本開示の一実施例による照明器具の動作を説明する。前述のように本開示による照明器具は、天井または壁面に具備された多様な深さの埋め込み部に選択的に適用可能であることを特徴とするので、本開示の一実施例による照明器具の動作は埋め込み部に装着される過程を中心に説明する。
【００２１】
まず、上部シャフト部１１０、下部シャフト部１２０を含む諸般の構成要素が結合された状態で、本開示の一実施例による照明器具の長さを最大にする。具体的に、上部シャフト部１１０及び下部シャフト部１２０が引張スプリング１３０によって圧縮されて結合した状態から、下部シャフト部１２０の突起１０１が上部シャフト部１１０の突起収容部１０２が具備された位置に対応する位置に到逹するまで下部シャフト部１２０を延長させる。ここで、下部シャフト部１２０の突起１０１は、突起ガイドホーム１０３に沿って移動して、引張スプリング１３０が引っ張られる。
【００２２】
このような状態で、下部シャフト部１２０を回転させて下部シャフト部１２０の突起１０１が上部シャフト部１１０の突起収容部１０２に収容されるようにする（図３、図６、図８及び図１０参照）。下部シャフト部１２０の回転は、下部シャフト部１２０に連結された照明部１４０の回転によって可能であり、ここでの回転方向はソケットベース１６０がソケットに締結される方向の反対方向（第２回転方向）である。
【００２３】
突起１０１が突起収容部１０２に収容されることによって、上部シャフト部１１０と下部シャフト部１２０との延長された状態及び引張スプリング１３０の引張状態が維持される。このような状態で、天井２０（または壁面）の埋め込み部３０内に具備された電源４０に本開示の一実施例による照明器具の一方の側に具備されたソケットベース１６０を締結する。ここで、埋め込み部３０の長さは、上部シャフト部１１０と下部シャフト部１２０とが延長された長さより短く、ソケットへの締結のためにソケットベース１６０は第２回転方向の反対方向である第１回転方向に回転する。本実施例では、電源接続部としてソケットベース１６０を電源４０との結合に用いたが、バイピン（BI-PIN）タイプの電源接続部を用いることができ、その他の多様な形態の電源接続部を用いることができる。
【００２４】
ソケットベース１６０がソケットに締結された状態で、下部シャフト部１２０を第１回転方向に強制的な外力を加えてさらに回転させると、突起収容部１０２に収容された突起１０１は突起係止突起１０４を越えて突起ガイドホーム１０３に移動して、引張スプリング１３０の復帰力によって下部シャフト部１２０は上部シャフト部１１０に向かって素早く移動する（図４、図７、図９及び図１１参照）。これによって、下部シャフト部１２０の一端に具備された照明部１４０は、天井２０に密着するようになって照明器具の埋め込み部３０への装着が完了する。第１回転方向と第２回転方向とを一致させることを考慮することができるが、これを通じてソケットベース１６０の電源４０への結合において、照明部１４０を回転させて強く固定することが可能になる。
【００２５】
このように、埋め込み部３０の長さが上部シャフト部１１０及び下部シャフト部１２０の延長された長さの範囲内に含まれれば、埋め込み部３０の長さに関係なく上述したような過程で照明器具を装着することができる。
【００２６】
以下、本開示の多様な実施形態について説明する。
【００２７】
（１）長さ調節可能なシャフトが、後面に結合される下部シャフト部と電源接続部に結合される上部シャフト部とを含み、下部シャフト部がスプリングによって上部シャフト部側に加圧されて移動することを特徴とする照明器具。
【００２８】
（２）上部シャフト部に対する下部シャフト部の相対的移動が、突起と突起ガイドホームとによって案内されることを特徴とする照明器具。
【００２９】
（３）上部シャフト部に対する下部シャフト部の相対的移動を防止するストッパーを含むことを特徴とする照明器具。
【００３０】
（４）ストッパーが、上部シャフト部に対する下部シャフト部の相対的回転によって前記相対的移動を防止することを特徴とする照明器具。
【００３１】
（５）電気接続部が電源に回転結合されるソケットベースであり、前記相対的回転の方向とソケットベースの回転方向とが、反対方向であることを特徴とする照明器具。
【００３２】
（６）突起ガイドホームと連通して、上部シャフト部に対する下部シャフト部の相対的回転時に突起を収容する突起収容部を含むことを特徴とする照明器具。
【００３３】
（７）突起ガイドホームと突起収容部との間に突起係止突起を含むことを特徴とする照明器具。
【００３４】
（８）電気接続部が電源に回転結合されるソケットベースであり、前記相対的回転の方向とソケットベースの回転方向とが、反対方向であることを特徴とする照明器具。
【００３５】
（９）照明部がＬＥＤ照明部であることを特徴とする照明器具。
【００３６】
以上では、埋め込み部３０を閉じられた空間で表現したが、本開示による照明器具は、電源４０及び外面２０が与えられたどのような空間でも適用が可能である。
【００３７】
本開示による一つの照明器具によると、長さ調節可能な照明器具を提供することができる。
【００３８】
また、本開示による他の照明器具によると、電源と外面との間の与えられた距離の制約から自由な照明器具を提供することが可能になる。
【００３９】
また、本開示によるさらなる他の照明器具によると、外面に安定的に固定される照明器具を提供することが可能になる。
【００４０】
また、本開示によるさらなる他の照明器具によると、外面からあまり突出しないＬＥＤ照明器具を提供することが可能になる。
【符号の説明】
【００４１】
１０１  突起、１０２  突起収容部、１０３  突起ガイドホーム、１１０  上部シャフト部、１２０  下部シャフト部、１３０  スプリング、１４０  照明部、１６０  電源接続部
【図１】
2013508933.tif 000003
【図２】
2013508933.tif 000004
【図３】
2013508933.tif 000005
【図４】
2013508933.tif 000006
【図５】
2013508933.tif 000007
【図６】
2013508933.tif 000008
【図７】
2013508933.tif 000009
【図８】
2013508933.tif 000010
【図９】
2013508933.tif 000011
【図１０】
2013508933.tif 000012
【図１１】
2013508933.tif 000013
【国際調査報告】
2013508933.tif 000014
2013508933.tif 000015
2013508933.tif 000016
2013508933.tif 000017